(57)【要約】  記録装置の電源が入っている間、ＣＰＵ（１１６）は、受信された所定量のコンテンツデータを常時記録用ＲＡＭ（１１４）に更新しながら常時記録する。ユーザが録画開始ボタンを押すと、ＣＰＵは、受信されたコンテンツデータをハードディスクドライブ（１１５）に記録する。コンテンツデータのハードディスクドライブへの記録が開始された後、ＣＰＵは、コンテンツデータの常時記録用ＲＡＭへの記録を一時停止し、常時記録用ＲＡＭに記録されたコンテンツデータをハードディスクドライブへ転送する。コンテンツデータのハードディスクドライブへの記録が終了した後、ＣＰＵは、ハードディスクドライブに直接記録されたコンテンツデータと常時記録用ＲＡＭから転送されたコンテンツデータとを結合する。【特許請求の範囲】
【請求項１】
コンテンツデータを受け取るコンテンツデータ受取手段と、
本記録開始指令を受け取る指令受取手段と、
第１記録手段と、
前記第１記録手段と別個独立の第２記録手段と、
前記本記録開始指令が前記指令受取手段により受け取られる前から前記コンテンツデータ受取手段により受け取られた所定量のコンテンツデータを前記第１記録手段に更新しながら記録し続ける常時記録制御手段と、
前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、
前記稼働制御手段により前記第２記録手段が稼働を開始した後、前記コンテンツデータ受取手段により受け取られたコンテンツデータを前記第２記録手段に記録する本記録制御手段と、
前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータとを相互に結合する結合手段とを備えていることを特徴とする記録装置。
【請求項２】
前記第１記録手段は可動部を有しないことを特徴とする請求の範囲第１項に記載の記録装置。
【請求項３】
前記第１記録手段は固体メモリであることを特徴とする請求の範囲第１項に記載の記録装置。
【請求項４】
前記第１記録手段は半導体メモリであることを特徴とする請求の範囲第１項に記載の記録装置。
【請求項５】
前記常時記録制御手段はリングバッファ方式により前記所定量のコンテンツデータを前記第１記録手段に更新しながら記録し続けることを特徴とする請求の範囲第１項に記載の記録装置。
【請求項６】
前記常時記録制御手段は、再生時間３０分以下に相当する量のコンテンツデータを前記第１記録手段に更新しながら記録し続けることを特徴とする請求の範囲第１項に記載の記録装置。
【請求項７】
前記常時記録制御手段は、再生時間１５分以下に相当する量のコンテンツデータを前記第１記録手段に更新しながら記録し続けることを特徴とする請求の範囲第１項に記載の記録装置。
【請求項８】
前記第２記録手段は可動部を有することを特徴とする請求の範囲第１項に記載の記録装置。
【請求項９】
前記稼働制御手段は、前記本記録開始指令が前記指令受取手段により受け取られる前は前記第２記録手段の可動部を停止させており、前記本記録開始指令が前記指令受取手段により受け取られた後に前記第２記録手段の可動部の稼働を開始させることを特徴とする請求の範囲第８項に記載の記録装置。
【請求項１０】
前記第２記録手段はハードディスクドライブであることを特徴とする請求の範囲第８項に記載の記録装置。
【請求項１１】
前記常時記録制御手段は、
前記第２記録手段の記録開始を確認する確認手段と、
前記第１記録手段に、前記第２記録手段の記録開始が前記確認手段により確認された時点において記録保持されているコンテンツデータを、前記第２記録手段へ転送する転送手段とを備えていることを特徴とする請求の範囲第１項に記載の記録装置。
【請求項１２】
前記常時記録制御手段は、前記所定量のコンテンツデータを前記第１記録手段に記録した時刻を示す第１時刻情報を生成し、当該第１時刻情報を前記第１記録手段に記録する第１時刻情報生成手段を備え、
前記本記録制御手段は、コンテンツデータの前記第２記録手段への記録が開始された時刻を示す第２時刻情報を生成し、当該第２時刻情報を前記第２記録手段に記録する第２時刻情報生成手段を備え、
前記結合手段は、前記第１時刻情報および前記第２時刻情報を参照し、前記第１時刻情報と前記第２時刻情報とが合致する合致時刻を検出する合致時刻検出手段を備え、
前記結合手段は、前記常時記録制御手段により記録されたコンテンツデータにおいて前記合致時刻に対応する位置と、前記本記録制御手段により記録されたコンテンツデータにおいて前記合致時刻に対応する位置とを結合点として、これらのコンテンツデータを相互に結合することを特徴とする請求の範囲第１項に記載の記録装置。
【請求項１３】
前記結合手段は、
コンテンツデータの画像を解析する画像解析手段と、
前記画像解析手段の解析に基づいて、前記常時記録制御手段により記録されたコンテンツデータと前記本記録制御手段により記録されたコンテンツデータとの結合点を検出する結合点検出手段とを備え、
前記結合手段は、前記常時記録制御手段により記録されたコンテンツデータと前記本記録制御手段により記録されたコンテンツデータとを、前記結合点検出手段により検出された結合点において相互に結合することを特徴とする請求の範囲第１項に記載の記録装置。
【請求項１４】
前記結合手段は、
コンテンツデータの音声を解析する音声解析手段と、
前記音声解析手段の解析に基づいて、前記常時記録制御手段により記録されたコンテンツデータと前記本記録制御手段により記録されたコンテンツデータとの結合点を検出する結合点検出手段とを備え、
前記結合手段は、前記常時記録制御手段により記録されたコンテンツデータと前記本記録制御手段により記録されたコンテンツデータとを、前記結合点検出手段により検出された結合点において相互に結合することを特徴とする請求の範囲第１項に記載の記録装置。
【請求項１５】
コンテンツデータ受取手段は、放送局から複数のチャンネルでまたは１個のチャンネルに多重して同時に送信される複数の番組に関するコンテンツデータの中から、１個の番組に関するコンテンツデータを選択する選択手段を備えていることを特徴とする請求の範囲第１項に記載の記録装置。
【請求項１６】
前記コンテンツデータ受取手段、前記指令受取手段、前記第１記録手段および前記常時記録制御手段を備えた第１セクションと、前記第２記録手段、前記稼働制御手段、前記本記録制御手段および前記結合手段を備えた第２セクションとを備え、前記第１セクションと前記第２セクションとはネットワークにより相互に接続されていることを特徴とする請求の範囲第１項に記載の記録装置。
【請求項１７】
ネットワークを介して相互に接続された第１記録装置および第２記録装置を備えた記録システムであって、
前記第１記録装置は、
外部送信源からコンテンツデータを受け取る第１コンテンツデータ受取手段と、
本記録開始指令を受け取る第１指令受取手段と、
第１指令受取手段により受け取られた前記本記録開始指令を前記第２記録装置へ送信する指令送信手段と、
第１記録手段と、
前記本記録開始指令が前記第１指令受取手段により受け取られる前から前記第１コンテンツデータ受取手段により受け取られた所定量のコンテンツデータを前記第１記録手段に更新しながら記録し続ける常時記録制御手段と、
本記録開始通知を受け取る通知受取手段と、
前記第１記録手段に、前記本記録開始通知が前記通知受取手段により受け取られた時点において記録保持されているコンテンツデータを、前記第２記録装置へ送信するコンテンツデータ送信手段とを備え、
前記第２記録装置は、
外部送信源からコンテンツデータを受け取る第２コンテンツデータ受取手段と、
本記録開始指令を受け取る第２指令受取手段と、
第２記録手段と、
前記本記録開始指令が前記第２指令受取手段により受け取られる前は前記第２記録手段の稼働を停止させ、前記本記録開始指令が前記第２指令受取手段により受け取られた後に前記第２記録手段の稼働を開始させる稼働制御手段と、
前記稼働制御手段により前記第２記録手段の稼働が開始した後、前記第２コンテンツデータ受取手段により受け取られたコンテンツデータを前記第２記録手段に記録する本記録制御手段と、
前記第２コンテンツデータ受取手段により受け取られたコンテンツデータの前記第２記録手段への記録が開始された時、前記本記録開始通知を前記第１記録装置へ送信する通知送信手段と、
前記コンテンツデータ送信手段から送信されたコンテンツデータを受け取る第３コンテンツデータ受取手段と、
前記第３コンテンツデータ受取手段により受け取られたコンテンツデータと、前記第２記録手段に記録されたコンテンツデータとを相互に結合する結合手段とを備えていることを特徴とする記録システム。
【請求項１８】
コンテンツデータを受け取るコンテンツデータ受取手段、第１記録手段および第２記録手段を有する記録装置におけるコンテンツデータの記録方法であって、
本記録開始指令が受け取られる前から前記コンテンツデータ受取手段により受け取られた所定量のコンテンツデータを前記第１記録手段に更新しながら記録し続ける常時記録工程と、
前記本記録開始指令を受け取る指令受取工程と、
前記指令受取工程において前記本記録開始指令が受け取られた後に前記第２記録手段の稼働を開始させる稼働工程と、
前記稼働工程において前記第２記録手段の稼働が開始した後に前記コンテンツデータ受取手段により受け取られたコンテンツデータを第２記録手段に記録する本記録工程と、
前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータとを相互に結合する結合工程とを備えていることを特徴とする記録方法。
【請求項１９】
請求の範囲第１項の記録装置としてコンピュータを機能させることを特徴とするコンピュータプログラム。
【発明の詳細な説明】
【技術分野】
【０００１】
本発明は、例えばテレビ放送局などから送信されるコンテンツデータを記録媒体に記録する記録装置および記録方法に関する。
【背景技術】
【０００２】
テレビ放送局などから送信されるアナログまたはデジタルのコンテンツデータを受信し、これをハードディスクまたは光ディスクなどの記録媒体に記録する記録装置は、例えばビデオレコーダ、ハードディスクレコーダ、ＤＶＤレコーダなどとして広く普及している。【０００３】
旧いタイプの記録装置は、ユーザが録画開始ボタンを押して記録開始指令を入力した時に、コンテンツデータの記録を開始する。この結果、記録媒体には、録画開始ボタンが押された後に受信されたコンテンツデータが記録される。このため、例えば番組を頭から録画したいときには、ユーザは、番組開始時刻に録画開始ボタンを押さなければならない。【０００４】
ところが、ユーザは番組開始時刻に録画開始ボタンを押し忘れ、番組が開始されてしばらく経った後、思い出して録画開始ボタンを押すといったことがある。このような場合、旧いタイプの記録装置によれば、番組開始時刻からユーザが録画開始ボタンを押すまでの間にコンテンツデータを記録媒体に残すことができない。これは不便である。【０００５】
現在普及している新しいタイプの記録装置の中には、このような不便を解消することを目指したものがある。この新しいタイプの記録装置は、テレビ放送局などから送信される１チャンネルまたは複数チャンネルのコンテンツデータを常に受信し、これをハードディスクに記録し続ける。ユーザは、ハードディスクに記録されたコンテンツデータのうち、必要な部分を指定し、これを保存する（消さずに残す）旨の指示を入力する。このような新しいタイプの記録装置によれば、ユーザが番組開始時刻に録画開始ボタンを押し忘れ、番組が開始されてしまっても、ハードディスクに記録されたコンテンツデータのうち、番組開始部分に対応するコンテンツデータを指定し、これを保存する旨の指示を入力すれば、番組開始部分に対応するコンテンツデータを記録媒体に残すことができる。
【発明の開示】
【発明が解決しようとする課題】
【０００６】
ところが、上述した新しいタイプの記録装置によれば、次のようないくつかの問題が生じ得る。【０００７】
第１に、新しいタイプの記録装置は、当該記録装置の電源が入っている間、コンテンツデータをハードディスクに常に記録し続ける。コンテンツデータは映像を含むデータであるため、データのサイズが大きい。このため、新しいタイプの記録装置は、大容量のハードディスクを備えている。このような新しいタイプの記録装置には、数百ギガバイトの容量を有するハードディスクを複数搭載しているものもある。この結果、ハードディスクの個数が増え、冷却機構も大がかりなものになるなど、装置の規模が大きくなる。装置の規模が大きくなることにより、装置サイズの増大、重量の増大、コストの上昇などの問題が生じ得る。【０００８】
第２に、新しいタイプの記録装置は、当該記録装置の電源が入っている間、コンテンツデータをハードディスクに常に記録し続ける。ハードディスクへの記録中は、ハードディスクを回転させるためのモータが駆動している。したがって、当該記録装置の電源が入っている間、モータが常に駆動している。このため、消費電力が高いという問題がある。【０００９】
第３に、新しいタイプの記録装置は、当該記録装置の電源が入っている間、コンテンツデータをハードディスクに常に記録し続ける。このため、ハードディスクドライブの可動部、例えばハードディスクまたはヘッドなどが故障する可能性が高まるという問題がある。【００１０】
本発明は上記に例示したような問題点に鑑みなされたものであり、本発明の第１の課題は、記録開始指令が入力される前に受け取ったコンテンツデータの記録保持を実現しつつ、装置の規模を小さくすることができる記録装置および記録方法を提供することにある。【００１１】
本発明の第２の課題は、記録開始指令が入力される前に受け取ったコンテンツデータの記録保持を実現しつつ、消費電力を下げることができる記録装置および記録方法を提供することにある。【００１２】
本発明の第３の課題は、記録開始指令が入力される前に受け取ったコンテンツデータの記録保持を実現しつつ、故障の生じる可能性を少なくすることができる記録装置および記録方法を提供することにある。
【課題を解決するための手段】
【００１３】
上記課題を解決するために本発明の記録装置は、コンテンツデータを受け取るコンテンツデータ受取手段と、本記録開始指令を受け取る指令受取手段と、第１記録手段と、前記第１記録手段と別個独立の第２記録手段と、前記本記録開始指令が前記指令受取手段により受け取られる前から前記コンテンツデータ受取手段により受け取られた所定量のコンテンツデータを前記第１記録手段に更新しながら記録し続ける常時記録制御手段と、前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、前記稼働制御手段により前記第２記録手段が稼働を開始した後、前記コンテンツデータ受取手段により受け取られたコンテンツデータを前記第２記録手段に記録する本記録制御手段と、前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータとを相互に結合する結合手段とを備えている。【００１４】
上記課題を解決するために本発明の記録システムは、ネットワークを介して相互に接続された第１記録装置および第２記録装置を備えた記録システムであって、前記第１記録装置は、外部送信源からコンテンツデータを受け取る第１コンテンツデータ受取手段と、本記録開始指令を受け取る第１指令受取手段と、第１指令受取手段により受け取られた前記本記録開始指令を前記第２記録装置へ送信する指令送信手段と、第１記録手段と、前記本記録開始指令が前記第１指令受取手段により受け取られる前から前記第１コンテンツデータ受取手段により受け取られた所定量のコンテンツデータを前記第１記録手段に更新しながら記録し続ける常時記録制御手段と、本記録開始通知を受け取る通知受取手段と、前記第１記録手段に、前記本記録開始通知が前記通知受取手段により受け取られた時点において記録保持されているコンテンツデータを、前記第２記録装置へ送信するコンテンツデータ送信手段とを備え、前記第２記録装置は、外部送信源からコンテンツデータを受け取る第２コンテンツデータ受取手段と、本記録開始指令を受け取る第２指令受取手段と、第２記録手段と、前記本記録開始指令が前記第２指令受取手段により受け取られる前は前記第２記録手段の稼働を停止させており、前記本記録開始指令が前記第２指令受取手段により受け取られた後に前記第２記録手段の稼働を開始させる稼働制御手段と、前記稼働制御手段により前記第２記録手段の稼働が開始した後、前記第２コンテンツデータ受取手段により受け取られたコンテンツデータを前記第２記録手段に記録する本記録制御手段と、前記第２コンテンツデータ受取手段により受け取られたコンテンツデータの前記第２記録手段への記録が開始された時、前記本記録開始通知を前記第１記録装置へ送信する通知送信手段と、前記コンテンツデータ送信手段から送信されたコンテンツデータを受け取る第３コンテンツデータ受取手段と、前記第３コンテンツデータ受取手段により受け取られたコンテンツデータと、前記第２記録手段に記録されたコンテンツデータとを相互に結合する結合手段とを備えている。【００１５】
上記課題を解決するために本発明の記録方法は、コンテンツデータを受け取るコンテンツデータ受取手段、第１記録手段および第２記録手段を有する記録装置におけるコンテンツデータの記録方法であって、本記録開始指令が受け取られる前から前記コンテンツデータ受取手段により受け取られた所定量のコンテンツデータを前記第１記録手段に更新しながら記録し続ける常時記録工程と、前記本記録開始指令を受け取る指令受取工程と、前記指令受取工程において前記本記録開始指令が受け取られた後に前記第２記録手段の稼働を開始させる稼働工程と、前記稼働工程において前記第２記録手段の稼働が開始した後に前記コンテンツデータ受取手段により受け取られたコンテンツデータを第２記録手段に記録する本記録工程と、前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータとを相互に結合する結合工程とを備えている。【００１６】
上記課題を解決するために本発明のコンピュータプログラムは、本発明の記録装置（但し、各種態様を含む）としてコンピュータを機能させる。【００１７】
上記課題を解決するためにコンピュータ読取可能な媒体内のコンピュータプログラム製品は、コンピュータにより実行可能なプログラム命令を明白に具現化し、該コンピュータを、本発明の記録装置（但し、各種態様を含む）として機能させる。【００１８】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置を比較的容易に実施可能となる。更に具体的には、当該コンピュータプログラム製品は、上述した本発明の記録装置として機能させるコンピュータ読取可能なコード（或いはコンピュータ読取可能な命令）から構成されてよい。【００１９】
本発明のこのような作用及び他の利得は次に説明する実施の形態及び実施例から更に明らかにされる。
【図面の簡単な説明】
【００２０】
【図１】本発明の記録装置の第１実施形態を示すブロック図である。
【図２】図１中に示す記録装置の動作を示す説明図である。
【図３】図１中に示す記録装置の結合処理を示す説明図である。
【図４】結合手段の変形例を示すブロック図である。
【図５】結合手段の他の変形例を示すブロック図である。
【図６】本発明の記録装置の第２実施形態を示すブロック図である。
【図７】本発明の記録システムの実施形態を示すブロック図である。
【図８】本発明の記録装置の実施例を示すブロック図である。
【符号の説明】
【００２１】
１、２、１００  記録装置
５  記録システム
１１、６１、６３  コンテンツデータ受取手段
１２  指令受取手段
１３  第１記録手段
１４  第２記録手段
１５  常時記録制御手段
１６  稼働制御手段
１７  本記録制御手段
１８、４１、４５  結合手段
【発明を実施するための最良の形態】
【００２２】
以下、本発明を実施するための最良の形態について実施形態毎に順に図面を参照しながら説明する。【００２３】
（記録装置の第１実施形態）
図１は本発明の記録装置の第１実施形態を示している。図１において、記録装置１は、例えばテレビ放送局などの送信源から送信されるコンテンツデータを受け取り、これを記録媒体に記録する装置である。記録装置１は、ユーザが例えば録画開始ボタンを押したとき、これに応じて、送信源から送信されるコンテンツデータを記録媒体に記録する機能を備えている。以下、このような記録処理ないし記録動作を「本記録」という。さらに、記録装置１は、その電源が入っている間、ユーザが録画開始ボタンを押す前から、送信源から送信されるコンテンツデータを常に受け取り、これを記憶素子または記録媒体に常時記録する機能を備えている。以下、このような記録処理ないし記録動作を「常時記録」という。【００２４】
記録装置１は、例えばチューナおよびハードディスクドライブ内蔵型のレコーダである。なお、記録装置１にはチューナを備えなくてもよい。この場合には、記録装置１とは別にチューナを用意し、このチューナの出力端子を記録装置１の入力端子に接続する。また、記録装置にはハードディスクドライブに代えて、光ディスクなどの他の記録媒体を備えてもよい。また、記録装置１は、テレビと一体型であってもよい。また、記録装置１はパーソナルコンピュータに内蔵されていてもよい。【００２５】
コンテンツデータは、例えば、テレビ放送局などから送信される番組のコンテンツデータであり、映像データおよび音声データである。具体的には、地上デジタル放送の場合には、コンテンツデータはＭＰＥＧ−２ＴＳ（Moving Picture Experts Group phase 2 Transport Stream）の映像データおよび音声データである。なお、コンテンツデータの送信源は、テレビ放送局に限られない。また、コンテンツデータは、文書データ、数値データなどでもよい。【００２６】
図１に示すように、記録装置１は、コンテンツデータ受取手段１１、指令受取手段１２、第１記録手段１３、第２記録手段１４、常時記録制御手段１５、稼働制御手段１６、本記録制御手段１７および結合手段１８を備えている。【００２７】
コンテンツデータ受取手段１１は、送信源から送信されたコンテンツデータを受け取る。コンテンツデータ受取手段１１は、記録装置１の電源が入っている間、コンテンツデータを常時受け取ることができる。送信源がテレビ放送局である場合、コンテンツデータ受取手段１１は、地上波、衛星波またはケーブルなどの伝送路を介してテレビ放送局と通信を行うための通信インターフェイスであることが望ましい。一方、直接の送信源がテレビ放送局ではない場合、例えば記録装置１とは別のチューナがテレビ放送局から送信されるコンテンツデータを受信し、これを記録装置１に供給する場合には、コンテンツデータ受取手段１１は、このチューナとの間で通信を行うための通信インターフェイスであることが望ましい。【００２８】
コンテンツデータ受取手段１１には選択手段１９を設けてもよい。選択手段１９は、テレビ放送局から複数のチャンネルでまたは１個のチャンネルに多重して同時に送信される複数の番組に関するコンテンツデータの中から、１個の番組（正確に言えば１個のテレビ放送事業者から提供される一連の番組）に関するコンテンツデータを選択する。選択手段１９は、例えばチューナである。また、ＢＳ（Broadcasting Satellite）デジタル放送および地上デジタル放送のように、１個のチャンネルに複数の番組に関するコンテンツデータが多重されている場合には、選択手段１９は、チューナおよびデマルチプレクサであることが望ましい。なお、上述したように、記録装置１とは別にチューナを用意する場合には、選択手段１９はなくてもよい。【００２９】
指令受取手段１２は、ユーザにより入力された本記録開始指令を受け取る。本記録開始指令は、記録装置１における本記録の開始を命じる指令である。例えば、記録装置１に設けられている操作パネル上の録画開始ボタンをユーザが押したとき、本記録開始指令が発せられる。指令受取手段１２はこれを受け取る。【００３０】
第１記録手段１３は記憶素子または記録媒体を備えている。第１記録手段１３は常時記録に用いられる。第１記録手段１３は、常時記録制御手段１５の制御に従って所定量のコンテンツデータを記録する。第１記録手段１３の記憶素子または記録媒体は書換可能の記憶素子または記録媒体である。また、第１記録手段１３の記憶素子または記録媒体は不揮発性でも揮発性でもよい。第１記録手段１３は可動部を有しないことが望ましい。例えば第１記録手段１３は固体メモリであることが望ましい。固体メモリの中では、ＲＡＭなどの半導体メモリが普及しており、入手しやすい。そこで、第１記録手段１３は半導体メモリがよい。なお、第１記録手段１３は、可動部を有していてもよく、例えばハードディスクドライブ（磁気ディスクを含む）または光ディスクドライブ（光ディスクを含む）でもよい。しかし、第１記録手段１３は可動部を有する構成よりも、可動部を有しない構成とした方がよい。可動部を有しない構成とすることにより、常時記録による消費電力の抑制、または故障の低減をより効果的に達成することができる。第１記録手段１３の記憶素子または記録媒体の記録容量は、常時記録における所定量のコンテンツデータを記録することができる程度で足りる。記録装置１は、常時記録において、再生時間３０分程度に相当する量のコンテンツデータ（例えばＭＰＥＧ−２ＴＳの映像データ）を記録する。したがって、第１記録手段１３の記憶素子または記録媒体の記録容量は十数ギガバイト程度でよい。なお、常時記録において再生時間１５分程度に相当する量のコンテンツデータを記録する構成とした場合には、第１記録手段１３の記憶素子または記録媒体の記録容量は５ないし６ギガバイト程度でよい。さらに、常時記録において再生時間５分程度に相当する量のコンテンツデータを記録する構成とした場合には、第１記録手段１３の記憶素子または記録媒体の記録容量は１ないし２ギガバイト程度でよい。また、コンテンツデータの圧縮率が高い場合や、コンテンツデータが音声データだけの場合には、単位再生時間当たりのデータ量が小さい。このような場合には、第１記録手段１３の記憶素子または記録媒体の記録容量を小さくすることができる。【００３１】
第２記録手段１４は記憶素子または記録媒体を備えている。第２記録手段１４は主として本記録に用いられる。第２記録手段１４は、本記録制御手段１７に従ってコンテンツデータを記録し、保持する。第２記録媒体１４の記憶素子または記録媒体は書込可能な記憶素子または記録媒体である。また、第１記録手段１３の記憶素子または記録媒体は不揮発性であることが望ましいが、揮発性でもよい。第２記録手段１４の記憶素子または記録媒体は大きい記録容量を有することが望ましい。第２記録手段１４はハードディスクドライブ（磁気ディスクを含む）であることが望ましい。なお、第２記録手段１４は光ディスクドライブ（光ディスクを含む）でもよい。第２記録手段１４をハードディスクドライブまたは光ディスクドライブとした場合、第２記録手段１４は可動部を有する。可動部は、例えばディスクを駆動するためのモータ、往復動または回転するアーム、あるいはアームに取り付けられたヘッドなどである。【００３２】
第２記録手段１４は、第１記録手段１３と別個独立に構成されている。例えば、第１記録手段１３が動作している最中であっても、第２記録手段１４の可動部を休止させることができる。より具体的には、第１記録手段１３と第２記録手段１４とは、電源電力供給経路が独立しており、第１記録手段１３に電源電力を供給している最中に、第２記録手段１４への電源電力供給、または第２記録手段１４の可動部への電源電力供給を停止することができることが望ましい。【００３３】
常時記録制御手段１５は、常時記録において第１記録手段１３の記録動作を制御する。常時記録制御手段１５は、本記録開始指令が指令受取手段１２により受け取られる前からコンテンツデータ受取手段１１により受け取られた所定量のコンテンツデータを第１記録手段１３に更新しながら記録し続ける。【００３４】
すなわち、常時記録制御手段１５は、本記録開始指令が指令受取手段１２により受け取られる前からコンテンツデータを第１記録手段１３に記録する。常時記録制御手段１５は、例えば、ユーザが録画開始ボタンを押す前からコンテンツデータの第１記録手段１３への記録を開始する。より具体的には、常時記録制御手段１５は、記録装置１の電源が入ったときからコンテンツデータの第１記録手段１３への記録を開始することが望ましい。【００３５】
また、常時記録制御手段１５は所定量のコンテンツデータを第１記録手段１３に記録する。例えば、常時記録制御手段１５は、再生時間３０分以下に相当する量のコンテンツデータを第１記録手段１３に記録する。再生時間３０分程度に相当する量のＭＰＥＧ−２ＴＳの映像データを記録する構成とした場合、常時記録制御手段１５は、１０ないし１１ギガバイトのコンテンツデータを第１記録手段１３に記録する。また、再生時間１５分程度に相当する量のＭＰＥＧ−２ＴＳの映像データを記録する構成とした場合、常時記録制御手段１５は、５ないし６ギガバイトのコンテンツデータを第１記録手段１３に記録する。また、再生時間５分程度に相当する量のＭＰＥＧ−２ＴＳの映像データを記録する構成とした場合、常時記録制御手段１５は、１ないし２ギガバイトのコンテンツデータを第１記録手段１３に記録する。なお、常時記録制御手段１５により再生時間３０分以上に相当する量のコンテンツデータを第１記録手段１３に記録する構成としてもよい。しかし、常時記録制御手段１５により第１記録手段１３に記録するコンテンツデータの量をあまりに大きくすると、第１記録手段１３の記録容量を大きくしなければならず、この結果、第１記録手段１３として可動部を有する大規模な記録装置を用いなければならなくなる。これに対し、常時記録制御手段１５により第１記録手段１３に記録するコンテンツデータの量を小さくすると、第１記録手段１３の記録容量を小さくすることができ、この結果、第１記録手段１３として可動部を有しない小規模な記録装置を用いることが可能となる。これにより、常時記録による消費電力の抑制、または故障の低減を効果的に達成することができる。【００３６】
また、常時記録制御手段１５は、コンテンツデータ受取手段１１により受け取られたコンテンツデータを更新しながら第１記録手段１３に常時記録し続ける。コンテンツデータの送信源がテレビ放送局である場合、コンテンツデータは次から次へ連続して放送局から送信される。常時記録制御手段１５は、このコンテンツデータを第１記録手段１３に常時記録し続ける。上述したように、第１記録手段１３の記憶素子または記録媒体は、例えば再生時間３０分程度に相当する量のコンテンツデータを記録するのに十分な程度の小さな記録容量を有するにすぎない。そのため、常時記録制御手段１５は、コンテンツデータを更新しながら第１記録手段１３に記録する。例えば、常時記録制御手段１５は、リングバッファ方式によりコンテンツデータを第１記録手段１３に記録する。すなわち、常時記録制御手段１５は、第１記録手段１３の記憶素子または記録媒体の記録領域において、先頭アドレスの指し示す領域から末尾アドレスの指し示す領域に向けてコンテンツデータを順に記録していき、末尾アドレスの指し示す領域へコンテンツデータを記録したときには、再び、先頭アドレスに戻り、先頭アドレスの指し示す領域から末尾アドレスの指し示す領域に向けてコンテンツデータを上書きしていく。【００３７】
常時記録制御手段１５は、例えば演算処理回路および半導体メモリなどにより実現することができる。また、常時記録制御手段１５は、図１に示すように、確認手段２１、転送手段２２および第１時刻情報生成手段２３を備えている。確認手段２１は、第２記録手段１４の記録開始を確認する。転送手段２２は、第１記録手段１３に、第２記録手段１４の記録開始が確認手段２１により確認された時点において記録保持されているコンテンツデータを、第２記録手段１４へ転送する。第１時刻情報生成手段２３は、所定量のコンテンツデータを第１記録手段１３に記録した時刻を示す第１時刻情報を生成し、これを第１記録手段１３に記録する。確認手段２１、転送手段２２および第１時刻情報生成手段２３についてはさらに後述する。【００３８】
稼働制御手段１６は、第２記録手段１４の稼働を制御する。稼働制御手段１６は、本記録開始指令が指令受取手段１２により受け取られる前は、第２記録手段１４の稼働を停止させており、本記録開始指令が指令受取手段１２により受け取られた後に第２記録手段１４の稼働を開始させる。第２記録手段１４が可動部を有する場合、稼働制御手段１６は、本記録開始指令が指令受取手段１２により受け取られる前は第２記録手段１４の可動部を停止させており、本記録開始指令が前記指令受取手段１２により受け取られた後に第２記録手段の可動部の稼働を開始させることが望ましい。例えば、記録装置１の電源が入れられても、本記録開始指令が受け取られる前は、稼働制御手段１６は、第２記録手段１４への電源電力供給、または第２記録手段１４の可動部への電源電力供給を停止した状態（例えばスリープ状態）を維持する。そして、本記録開始指令が受け取られた後に、稼働制御手段１６は、第２記録手段１４への電源電力供給、または第２記録手段１４の可動部への電源電力供給を開始する。より具体的に説明すると、第２記録手段１４がハードディスクドライブの場合、本記録開始指令が受け取られる前は、稼働制御手段１６は、ハードディスクドライブ内のディスクの回転が停止した状態を維持する。そして、本記録開始指令が受け取られた後に、稼働制御手段１６は、ハードディスクドライブ内のディスクを回転させる。稼働制御手段１６は、例えば演算処理回路および半導体メモリなどにより実現することができる。【００３９】
本記録制御手段１７は、本記録において第２記録手段１４の記録動作を制御する。本記録制御手段１７は、稼働制御手段１６により第２記録手段１４が稼働を開始した後、コンテンツデータ受取手段１１により受け取られたコンテンツデータを第２記録手段１４に記録する。本記録制御手段１７は、常時記録制御手段１５と同様に、コンテンツデータ受取手段１１により受け取られたコンテンツデータを記録するための制御を行う。しかし、常時記録制御手段１５は、本記録開始指令が指令受取手段１２により受け取られる前からコンテンツデータの記録を常時行い続けるのに対し、本記録制御手段１７は、本記録開始指令が指令受取手段１２により受け取られた後にコンテンツデータの記録を行う。また、常時記録制御手段１５が記録を行うコンテンツデータは所定量（例えば再生時間３０分相当量）であるのに対し、本記録制御手段１７が記録を行うコンテンツデータの量は、第２記録手段１４の記憶素子または記録媒体（上述したように大容量であることが望ましい）に空き領域がある限り、制限されない。それゆえ、常時記録制御手段１５はコンテンツデータを更新しながら記録する必要があるのに対し、本記録制御手段１７は、第２記録手段１４の記憶素子または記録媒体に空き領域がある限り、コンテンツデータを更新する必要はない。【００４０】
本記録制御手段１７は、例えば演算処理回路および半導体メモリなどにより実現することができる。また、本記録制御手段１７は、第２時刻情報生成手段２４を備えている。第２時刻情報生成手段２４は、コンテンツデータの第２記録手段１４への記録が開始された時刻を示す第２時刻情報を生成し、これを第２記録手段１４に記録する。第２時刻情報生成手段２４についてはさらに後述する。【００４１】
結合手段１８は、コンテンツデータ受取手段１１により受け取られたコンテンツデータの第２記録手段１４への記録が開始された時点において第１記録手段１３に記録保持されているコンテンツデータと、本記録により第２記録手段１４に記録保持されたコンテンツデータとを相互に結合（マージ）する。すなわち、結合手段１８の結合対象の一方は、コンテンツデータ受取手段１１により受け取られたコンテンツデータの第２記録手段１４への記録が開始された時点（またはその直前あるいは直後でもよい）において第１記録手段１３に記録保持されているコンテンツデータ（以下、これを「常時記録コンテンツデータ」という）である。他方は、本記録により第２記録手段１４に記録保持されたコンテンツデータ（以下、これを「本記録コンテンツデータ」という）である。結合手段１８は、常時記録コンテンツデータと本記録コンテンツデータとが内容的に連続した１個のコンテンツデータとなるように、両者を結合する。結合手段１８は、これらのコンテンツデータの結合処理を行う作業領域として、第２記録手段１４の記録領域を用いる。なお、結合処理に用いるための作業領域として、他の記憶素子または記録媒体を用意してもよい。【００４２】
結合手段１８は、演算処理回路、および結合処理を行うための作業領域を提供する記憶素子または記録媒体などにより実現することができる。結合手段１８は、合致時刻検出手段２５を備えている。合致時刻検出手段２５は、第１時刻情報および第２時刻情報を参照し、第１時刻情報と第２時刻情報とが合致する合致時刻を検出する。結合手段１８の結合処理および合致時刻検出手段２５の動作については後述する。【００４３】
図２は記録装置１の動作の一例を示している。図２中の斜線部は、常時記録制御、本記録制御、結合処理がそれぞれ実行中であることを示している。まず、記録装置１を動作させるべく、ユーザは記録装置１にテレビ放送受信用アンテナなどを接続する。なお、記録装置１が選択手段１９を搭載していない場合には、ユーザは、アンテナが接続されたチューナを記録装置１に接続する。そして、図２中の時点ｔ０において、ユーザは記録装置１の電源を入れる。これにより、記録装置１の各構成要素には電力の供給が開始される。しかし、稼働制御手段１６は、第２記録手段１４へまたは第２記録手段１４の可動部への電源電力の供給を遮断した状態を維持する。そのため、第２記録手段１４または第２記録手段１４の可動部は停止している。例えば、第２記録手段１４がハードディスクドライブである場合には、ディスクの回転は停止している。【００４４】
そして、ユーザは、選択手段１９により（記録装置１が選択手段１９を搭載していない場合にはチューナにより）、所望の番組に関するコンテンツデータを選択する。コンテンツデータ受取手段１１は、選択されたコンテンツデータを受け取る。続いて、常時記録制御手段１５は、コンテンツデータ受取手段１１により受け取られた所定量のコンテンツデータを第１記録手段１３に更新しながら記録し続ける。このように、記録装置１の電源が入るとほぼ同時に、常時記録が実行される。【００４５】
時点ｔ１において、ユーザが記録装置１の録画開始ボタンを押すと、これに応じて本記録開始指令が発せられる。本記録開始指令は指令受取手段１２により受け取られる。本記録開始指令が指令受取手段１２により受け取られると、稼働制御手段１６は、第２記録手段１４または第２記録手段１４の可動部へ電源電力の供給を開始し、第２記録手段１４または第２記録手段１４の可動部を稼働させる。例えば、第２記録手段１４がハードディスクドライブである場合には、稼働制御手段１６は、ハードディスクドライブのディスクの回転を開始させる。稼働を開始した第２記録手段１４は、時点ｔ１から時点ｔ２までの間に準備動作を行う。【００４６】
時点ｔ２において、本記録制御手段１７は、コンテンツデータの第２記録手段１４への記録を開始する。このとき、確認手段２２は第２記録手段１４の記録開始を確認する。確認手段２２により第２記録手段１４の記録開始が確認された後、常時記録制御手段１５は、コンテンツデータの第１記録手段１３への記録を一時停止する。続いて、転送手段２２は、第１記録手段１３に、第２記録手段１４の記録開始が確認された時点において記録保持されているコンテンツデータ（常時記録コンテンツデータ）を、第２記録手段１４（結合手段１８による結合処理の作業領域）へ転送する。【００４７】
時点ｔ３において、転送手段２２は、第１記録手段１３から第２記録手段１４への常時記録コンテンツデータの転送を完了する。続いて、常時記録制御手段１５は、コンテンツデータ受取手段１１から受け取られたコンテンツデータを第１記録手段１３に再び記録し始める。この結果、時点ｔ３から時点ｔ４までの間、第１記録手段１３と第２記録手段１４とに同一のコンテンツデータが記録される。【００４８】
時点ｔ４において、ユーザが録画停止ボタンを押すと、これに応じて本記録停止指令が発せられる。本記録停止指令は指令受取手段１２により受け取られる。本記停止始指令が指令受取手段１２により受け取られると、本記録制御手段１７は、コンテンツデータの第２記録手段１４への記録を停止させる。この時点において、第２記録手段１４には、常時記録コンテンツデータおよび本記録コンテンツデータが記録保持されている。繰り返しになるが、常時記録コンテンツデータとは、コンテンツデータ受取手段１１により受け取られたコンテンツデータの第２記録手段１４への記録が開始された時点において記録保持されていたコンテンツデータである。また、本記録コンテンツデータとは、本記録により第２記録手段１４に記録保持されたコンテンツデータである。【００４９】
時点ｔ５において、結合手段１８は、第２記録手段１４に記録保持された常時記録コンテンツデータと本記録コンテンツデータとを相互に結合する。これにより、本記録開始指令が受け取られる前の例えば３０分程度（または１５分程度、または５分程度、または３０分以上）の間に第１記録手段１３に記録されたコンテンツデータが、本記録開始指令が受け取られた後に第２記録手段１４に記録されたコンテンツデータの先頭部分に追加される。そして、結合手段１８により結合されたコンテンツデータは、例えば第２記録手段１４の記憶素子または記録媒体の保存領域に保存される。これにより、ユーザは、録画ボタンを押す前の例えば３０分程度の間に放送された所望の番組に関するコンテンツデータと、録画ボタンを押した後に放送された同番組に関するコンテンツデータとを連続して再生することが可能となる。【００５０】
時点ｔ６において、結合手段１８による結合処理が終了したとき、稼働制御手段１６は、第２記録手段１４への電源電力供給または第２記録手段１４の可動部への電源電力供給を停止する。これにより、例えば第２記録手段１４がハードディスクドライブである場合には、ハードディスクドライブのディスクの回転が停止する。なお、この時点においても、常時記録制御手段１５は、コンテンツデータ受取手段１１により受け取られたコンテンツデータを更新しながら第１記録手段１３に記録し続けている。【００５１】
なお、図２を用いた上述の説明では、転送手段２２による常時記録コンテンツデータの第２記録手段１４への転送を、確認手段２１により第２記録手段１４の記録開始が確認された直後に行う場合を例にあげた。しかし、常時記録コンテンツデータの転送は、第２記録手段１４の記録開始が確認されてから、結合手段１８による結合処理が開始されるまでの期間内であれば、いつ行ってもよい。【００５２】
また、図２を用いた上述の説明では、結合手段１８による結合処理を、本記録終了直後（時点ｔ５）に行う場合を例にあげた。しかし、結合処理はいつ行ってもよい。例えば、本記録が開始され、コンテンツデータの結合点となるべき部分が第２記録手段１４に記録された時点以後であれば、結合処理を行うことができる。また、後述するように、結合処理では結合点の検出を行う。この結合点の検出は、第１記録手段１３から第２記録手段１４への常時記録コンテンツデータの転送を行う前の段階でも実行することが可能である。【００５３】
以上説明したとおり、記録装置１は、互いに別個独立に分離された第１記録手段１３と第２記録手段１４とを備え、コンテンツデータの常時記録をもっぱら第１記録手段１３に担当させ、その一方で、本記録開始指令が発せられない限り、第２記録手段１４の稼働を停止させる構成を有している。これにより、常時記録を行うために大規模な記録装置を設ける必要がなくなり、大規模な冷却構造などを排除できる。この結果、ユーザにより記録開始指令が入力される前に受け取ったコンテンツデータの記録保持を実現しつつ、装置の規模を小さくすることができる。【００５４】
特に、常時記録を担当する第１記録手段１３に記録するコンテンツデータの量を例えば再生時間３０分程度に相当する所定量に制限することにより、第１記録手段１３の容量を小さくすることができる。したがって、装置の規模をより一層小さくすることができる。【００５５】
また、第１記録手段１３の容量を小さくすることができるので、消費電力の少ない記録装置、例えば半導体メモリなどの固体メモリを第１記録手段１３として用いることができる。したがって、ユーザにより記録開始指令が入力される前に受け取ったコンテンツデータの記録保持を実現しつつ、消費電力を下げることができる。【００５６】
さらに、半導体メモリなどの固体メモリを第１記録手段１３として用いることができるので、第１記録手段１３から可動部を排除することができる。したがって、ユーザにより記録開始指令が入力される前に受け取ったコンテンツデータの記録保持を実現しつつ、故障の生じる可能性を少なくすることができる。【００５７】
（コンテンツデータの結合処理）
図３は、記録装置１における結合手段１８の結合処理を示している。記録装置１では、コンテンツデータを第１記録手段１３および第２記録手段１４に記録した時刻に基づいて、コンテンツデータの結合処理を行う方法を採用している。【００５８】
すなわち、常時記録制御手段１５が、常時記録において、コンテンツデータ受取手段１１により受け取られたコンテンツデータを第１記録手段１３に記録するとき、第１時刻情報生成手段２３（図１参照）が、当該コンテンツデータを第１記録手段１３に記録した時刻を示す複数の第１時刻情報を生成し、これを第１記録手段１３に記録する。このとき、第１時刻情報生成手段２３は、当該コンテンツデータのどの位置がいかなる時刻に第１記録手段１３に記録されたかを結合処理時に検出することができるように、当該コンテンツデータのそれぞれ位置とそれぞれ第１時刻情報との対応づけを行う。また、第１時刻情報生成手段２３は、例えば、本記録開始指令が指令受取手段１２により受け取られた時（図２中の時点ｔ１）から、確認手段２２により第２記録手段１４の記録開始が確認されて常時記録制御手段１５がコンテンツデータの第１記録手段１３への記録を一時停止する時（図２中の時点ｔ２〜ｔ３までの間のいずれかの時点）までの間に、第１時刻情報を所定の時間（例えば０．１秒）ごとに生成し、これを第１記録手段１３に順次記録する。また、転送手段２２によりコンテンツデータが第１記録手段１３から第２記録手段１４へ転送されるとき、第１時刻情報は、このコンテンツデータと共に第１記録手段１３から第２記録手段１４へ転送される。【００５９】
他方、本記録制御手段１７が、本記録において、コンテンツデータ受取手段１１により受け取られたコンテンツデータの第２記録手段１４への記録を開始するとき、第２時刻情報生成手段２４が、当該コンテンツデータの第２記録手段１４への記録を開始した時刻を示す１個の第２時刻情報を生成し、これを第２記録手段１４に記録する。【００６０】
そして、結合手段１８による結合処理が開始されたとき、合致時刻検出手段２５（図１参照）が、第１時刻情報および第２時刻情報を参照し、第１時刻情報と第２時刻情報とが合致する合致時刻を検出する。上述した図２の例によれば、合致時刻は時点ｔ２である。したがって、図３に示すように、結合手段１８は、常時記録コンテンツデータ３１において合致時刻ｔ２に対応する位置と、本記録コンテンツデータ３２において合致時刻ｔ２に対応する位置（すなわち本記録制御手段１７により第２記録手段１４に記録されたコンテンツデータの先頭位置）とを結合点として、これらのコンテンツデータを相互に結合し、内容的に連続した１個のコンテンツデータ３３を作り出す。【００６１】
以上説明したとおり、時刻を用いた結合処理により、コンテンツデータの結合を高精度に行うことができる。【００６２】
なお、記録装置１は、結合手段１８によるコンテンツデータの結合方法として、合致時刻に基づく方法を採用した。しかし、他の結合方法を採用することも可能である。以下、画像解析を用いた結合方法と、音声解析を用いた結合方法を述べる。【００６３】
図４は、画像解析を用いた結合方法を採用した場合の結合手段の構造を示している。この結合方法を用いる場合には、図１中の結合手段１８に代えて、図４中の結合手段４１を設ける。そして、図１中の第１時刻情報生成手段２３および第２時刻情報生成手段２４を排除する。図４に示すように、結合手段４１は、画像解析手段４２および結合点検出手段４３を備えている。画像解析手段４２はコンテンツデータの画像を解析する。結合点検出手段４３は、画像解析手段４２の解析に基づいて、常時記録コンテンツデータと本記録コンテンツデータとの結合点を検出する。結合手段４１は、常時記録コンテンツデータと本記録コンテンツデータとを、結合点検出手段４３により検出された結合点において相互に結合する。画像解析は、コンテンツデータに含まれる輝度情報、コンテンツのシーンチェンジ時の画像変化、ＭＰＥＧ画像のＰＩＤ（パケット識別子）などに基づいて行うことができる。【００６４】
図５は、音声解析を用いた結合方法を採用した場合の結合手段の構造を示している。この結合方法を用いる場合には、図１中の結合手段１８に代えて、図５中の結合手段４５を設ける。そして、図１中の第１時刻情報生成手段２３および第２時刻情報生成手段２４を排除する。図５に示すように、結合手段４５は、音声解析手段４６および結合点検出手段４７を備えている。音声解析手段４６はコンテンツデータの音声を解析する。結合点検出手段４７は、音声解析手段４６の解析に基づいて、常時記録コンテンツデータと本記録コンテンツデータとの結合点を検出する。結合手段４５は、常時記録コンテンツデータと本記録コンテンツデータとを、結合点検出手段４７により検出された結合点において相互に結合する。音声解析は、コンテンツデータの音声データがモノラル音声からステレオ音声への変化などに基づいて行う。【００６５】
なお、コンテンツデータがＭＰＥＧの映像データまたは音声データである場合には、映像データまたは音声データを再生させるための時間情報がコンテンツデータに予め含まれている。この時間情報を用いることによりコンテンツデータの結合点を検出し、コンテンツデータの結合を行うこともできる。【００６６】
（記録装置の第２実施形態）
図６は本発明の記録装置の第２実施形態を示している。図６において、記録装置２は、記録装置１と同様に、コンテンツデータ受取手段１１、指令受取手段１２、第１記録手段１３、常時記録制御手段１５、第２記録手段１４、稼働制御手段１６、本記録制御手段１７および結合手段１８を備えている。しかし、記録装置２においては、これらの手段が第１セクション３と第２セクション４とに分離している。第１セクション３は、コンテンツデータ受取手段１１、指令受取手段１２、第１記録手段１３および常時記録制御手段１５を備えている。第２セクション４は、第２記録手段１４、稼働制御手段１６、本記録制御手段１７および結合手段１８を備えている。第１セクション３と第２セクション４とはネットワークにより相互に接続されている。ネットワークは、例えばイーサネット、ＬＡＮ（Local-Area Network）、ＷＡＮ（Wide-Area Network）などのコンピュータネットワークである。さらに、第１セクション３および第２セクション４には通信手段５１、５２がそれぞれ設けられており、通信手段５１、５２は、第１セクション３と第２セクション４との間の通信を制御する。【００６７】
記録装置２の動作は以下のとおりである。ユーザは、第１セクション３のアンテナ入力端子にテレビ放送受信用アンテナなどを接続し、第１セクション３および第２セクション４の電源をそれぞれ入れる。これにより、第１セクション３および第２セクション４の各構成要素には電力の供給が開始される。しかし、第２セクション４の稼働制御手段１６は、第２記録手段１４へまたは第２記録手段１４の可動部への電源電力の供給を遮断した状態を維持する。続いて、ユーザは、選択手段１９により所望の番組に関するコンテンツデータを選択する。コンテンツデータ受取手段１１は、選択されたコンテンツデータを受け取る。続いて、常時記録制御手段１５は、コンテンツデータ受取手段１１により受け取られた所定量のコンテンツデータを第１記録手段１３に更新しながら記録し続ける。【００６８】
続いて、ユーザが第１セクション３に設けられた録画開始ボタンを押すと、これに応じて本記録開始指令が発せられる。本記録開始指令は、指令受取手段１２により受け取られる。さらに、指令受取手段１２により受け取られた本記録開始指令は、第１セクション３の通信手段５１およびネットワークを介して第２セクション４に送信される。第２セクション４の通信手段５２はこの本記録開始指令を受け取る。本記録開始指令が通信手段５２により受け取られると、稼働制御手段１６は、第２記録手段１４または第２記録手段１４の可動部へ電源電力の供給を開始し、第２記録手段１４または第２記録手段１４の可動部を稼働させる。そして、第２記録手段１４はコンテンツデータの記録をするための準備を行う。【００６９】
第２記録手段１４の記録準備が完了すると、第２セクション４の通信手段５２は、本記録の準備が完了した旨を示す本記録準備完了通知を第１セクション３に送信する。第１セクション３の通信手段５１は本記録準備完了通知を受信する。本記録準備完了通知が通信手段５１により受け取られたとき、第１セクション３の通信手段５１は、コンテンツデータ受取手段１１により受け取られたコンテンツデータを第２セクション４に送信する。第２セクション４の通信手段５２はこのコンテンツデータを受信する。続いて、本記録制御手段１７は、通信手段５２により受信されたコンテンツデータの第２記録手段１４への記録を開始する。そして、コンテンツデータ受取手段１１によるコンテンツデータの受取、このコンテンツデータの第１セクション３から第２セクション４への送信、このコンテンツデータの通信手段５２による受信、およびこのコンテンツデータの本記録制御手段１７による第２記録手段１４への記録は、本記録制御手段１７による記録が続く限り、継続的に行われる。【００７０】
本記録制御手段１７による記録が開始されたとき、第２セクション４の通信手段５２は、コンテンツデータの第２記録手段１４への記録が開始された旨を示す本記録開始通知を第１セクション３に送信する。第１セクション３の通信手段５１は本記録開始通知を受信する。続いて、確認手段２２は本記録開始通知に基づいて第２記録手段１４の記録開始を確認する。その後、常時記録制御手段１５は、コンテンツデータの第１記録手段１３への記録を一時停止する。続いて、転送手段２２は、第１記録手段１３に、第２記録手段１４の記録開始が確認された時点において記録保持されているコンテンツデータ（常時記録コンテンツデータ）を、第２セクション４へ送信する。第２セクション４の通信手段５２は、この常時記録コンテンツデータを受信し、これを第２記録手段１４へ転送する。なお、常時記録コンテンツデータを第１セクション３から第２セクション４へ１回で送信することができないとき、常時記録コンテンツデータの送信処理は数回に分けて行われる。【００７１】
常時記録コンテンツデータの第２記録手段１４への転送が完了すると、通信手段５２は、転送完了通知を第１セクション３に送信する。そして、第１セクション３の通信手段５１は、転送完了通知を受信する。続いて、常時記録制御手段１５は、コンテンツデータ受取手段１１から受け取られたコンテンツデータを第１記録手段１３に再び記録し始める。【００７２】
続いて、ユーザが録画停止ボタンを押すと、これに応じて本記録停止指令が発せられる。本記録停止指令は指令受取手段１２により受け取られ、通信手段５１およびネットワークを介して第２セクション４に送信され、第２セクション４の通信手段５２により受信される。本記停止始指令が通信手段５２により受信されると、本記録制御手段１７は、コンテンツデータの第２記録手段１４への記録を停止させる。その後、結合手段１８は、第２記録手段１４に転送された常時記録コンテンツデータと本記録コンテンツデータとを相互に結合する。結合手段１８による結合処理が終了したとき、稼働制御手段１６は、第２記録手段１４への電源電力供給または第２記録手段１４の可動部への電源電力供給を停止する。【００７３】
以上説明したとおり、記録装置２によれば、記録装置１と同様に、ユーザにより記録開始指令が入力される前に受け取ったコンテンツデータの記録保持を実現しつつ、装置の規模を小さくすることができ、消費電力を下げることができ、かつ故障の発生を低減させることができる。【００７４】
（記録システムの実施形態）
図７は本発明の記録システムの実施形態を示している。図７において、記録システム５は、第１記録装置６および第２記録装置７を備えている。第１記録装置６と第２記録装置７とはネットワークを介して相互に接続されている。第１記録装置６は、例えば、ディスプレイ装置を備えたテレビに搭載される。第２記録装置７は、例えばチューナおよびハードディスク内蔵型のレコーダである。ネットワークは、例えばＬＡＮまたはＷＡＮなどのコンピュータネットワークである。【００７５】
第１記録装置６は、コンテンツデータ受取手段６１、指令受取手段１２、第１記録手段１３、常時記録制御手段１５および通信手段６２を備えている。コンテンツデータ受取手段６１は、記録装置１のコンテンツデータ受取手段１１と同じく、例えばテレビ放送局などから送信されるコンテンツデータを受け取る。指令受取手段１２、第１記録手段１３および常時記録制御手段１５も、記録装置１の指令受取手段、第１記録手段および常時記録制御手段と同じである。通信手段６２は、第１記録装置６と第２記録装置７との間の通信を制御する。また、コンテンツデータ受取手段６１に設けられた選択手段６５は、記録装置１の選択手段１９と同じである。【００７６】
第２記録装置７は、コンテンツデータ受取手段６３、通信手段６４、第２記録手段１４、稼働制御手段１６、本記録制御手段１７および結合手段１８を備えている。コンテンツデータ受取手段６３は、第１記録装置６のコンテンツデータ受取手段６１と同じく、例えばテレビ放送局などから送信されるコンテンツデータを受け取る。通信手段６４は、第１記録装置６と第２記録装置７との間の通信を制御する。稼働制御手段１６、本記録制御手段１７および結合手段１８は、記録装置１の稼働制御手段、本記録制御手段および結合手段と同じである。また、コンテンツデータ受取手段６３に設けられた選択手段６６は、記録装置１の選択手段１９と同じである。【００７７】
記録システム５の動作は以下のとおりである。ユーザは、第１記録装置６および第２記録装置７のそれぞれにテレビ放送受信用アンテナなどを接続する。そして、ユーザは、第１記録装置６および第２記録装置７の電源をそれぞれ入れる。これにより、第１記録装置６および第２記録装置７の各構成要素には電力の供給が開始される。しかし、第２記録装置７の稼働制御手段１６は、第２記録手段１４へまたは第２記録手段１４の可動部への電源電力の供給を遮断した状態を維持する。続いて、ユーザは、選択手段６５により、所望の番組に関するコンテンツデータを選択する。コンテンツデータ受取手段６１は、選択されたコンテンツデータを受け取る。続いて、常時記録制御手段１５は、コンテンツデータ受取手段６１により受け取られた所定量のコンテンツデータを第１記録手段１３に更新しながら記録し続ける。【００７８】
続いて、ユーザが第１記録装置６に設けられた録画開始ボタンを押すと、これに応じて本記録開始指令が発せられる。本記録開始指令は、指令受取手段１２により受け取られる。さらに、指令受取手段１２により受け取られた本記録開始指令は、第１記録装置６の通信手段６２およびネットワークを介して第２記録装置７に送信される。このとき、現在コンテンツデータ受取手段６１により選択されているチャンネルないし番組を示す情報（以下、これを「番組選択情報」という）が本記録開始指令と共に第２記録装置７に送信される。第２記録装置７の通信手段６４はこの本記録開始指令を受け取る。本記録開始指令が通信手段６４により受け取られると、コンテンツデータ受取手段６３は、番組選択情報に基づいて、現在コンテンツデータ受取手段６１により選択されているチャンネルないし番組と同一のチャンネルないし番組を選択する。続いて、稼働制御手段１６は、第２記録手段１４または第２記録手段１４の可動部へ電源電力の供給を開始し、第２記録手段１４または第２記録手段１４の可動部を稼働させる。続いて、本記録制御手段１７は、コンテンツデータ受取手段６３により受け取られたコンテンツデータを第２記録手段１４に記録し始める。これに応じて、通信手段６４は、コンテンツデータの第２記録手段１４への記録が開始された旨を示す本記録開始通知を第１記録装置６に送信する。第１記録装置６の通信手段６２は本記録開始通知を受信する。続いて、確認手段２２は本記録開始通知に基づいて第２記録手段１４の記録開始を確認する。その後、常時記録制御手段１５は、コンテンツデータの第１記録手段１３への記録を一時停止する。続いて、転送手段２２は、第１記録手段１３に、第２記録手段１４の記録開始が確認された時点において記録保持されているコンテンツデータ（常時記録コンテンツデータ）を、第２記録装置７へ送信する。第２記録装置７の通信手段６４は、この常時記録コンテンツデータを受信し、これを第２記録手段１４へ転送する。なお、常時記録コンテンツデータを第１記録装置６から第２記録装置７へ１回で転送することができないときには、数回に分けて転送する。【００７９】
常時記録コンテンツデータの第２記録手段１４への転送が完了すると、通信手段６４は、転送完了通知を第１記録装置６に送信する。そして、第１記録装置６の通信手段６２は転送完了通知を受信する。続いて、常時記録制御手段１５は、コンテンツデータ受取手段６１から受け取られたコンテンツデータを第１記録手段１３に再び記録し始める。【００８０】
続いて、ユーザが録画停止ボタンを押すと、これに応じて本記録停止指令が発せられる。本記録停止指令は指令受取手段１２により受け取られ、通信手段６２およびネットワークを介して第２記録装置７に送信され、第２記録装置７の通信手段６４により受信される。本記停止始指令が通信手段６４により受信されると、本記録制御手段１７は、コンテンツデータの第２記録手段１４への記録を停止させる。その後、結合手段１８は、第２記録手段１４に記録保持された常時記録コンテンツデータと本記録コンテンツデータとを相互に結合する。結合手段１８による結合処理が終了したとき、稼働制御手段１６は、第２記録手段１４への電源電力供給または第２記録手段１４の可動部への電源電力供給を停止する。【００８１】
以上説明したとおり、記録システム５によれば、記録装置１と同様に、ユーザにより記録開始指令が入力される前に受け取ったコンテンツデータの記録保持を実現しつつ、装置の規模を小さくすることができ、消費電力を下げることができ、かつ故障の発生を低減させることができる。【００８２】
なお、コンテンツデータ受取手段６１は第１コンテンツデータ受取手段の具体例であり、指令受取手段１２は第１指令受取手段の具体例である。また、通信手段６２は指令送信手段、通知受取手段およびコンテンツデータ送信手段の具体例であり、コンテンツデータ受取手段６３は第３コンテンツデータ受取手段の具体例である。また、通信手段６４は第２コンテンツデータ受取手段および通知送信手段の具体例である。【００８３】
（記録方法）
上述した記録装置１などの実施形態は、本発明のコンテンツデータ記録方法の実施形態でもある。すなわち、図２中の時点ｔ０〜ｔ１におけるコンテンツデータの第１記録手段１３への記録は常時記録工程の具体例である。時点ｔ１における本記録開始指令の受取は指令受取工程の具体例である。時点ｔ１における第２記録手段１４の稼働開始は稼働工程の具体例である。時点ｔ１〜ｔ４におけるコンテンツデータの第２記録手段１４への記録は本記録工程の具体例である。時点ｔ５〜ｔ６におけるコンテンツデータの結合は結合工程の具体例である。【００８４】
（コンピュータプログラム）
本発明の記録装置は、コンテンツデータ受取手段１１、指令受取手段１２、常時記録制御手段１５、稼働制御手段１６、本記録制御手段１７および結合手段１８などを実現するための制御プログラムを作成し、これをコンピュータに読み込ませることによっても実現することが可能である。このとき、当該コンピュータに標準的に備えられた半導体メモリおよびハードディスクドライブがそれぞれ第１記録手段１３および第２記録手段１４として機能する。
【実施例】
【００８５】
以下、本発明の実施例について図面を参照しながら説明する。以下の実施例は、本発明の記録装置をチューナおよびハードディスクドライブ内蔵型のレコーダに適用した例であり、本発明を実施するための好適な一例である。【００８６】
図８は本発明の記録装置の実施例を示している。図８中の記録装置１００のチューナ１１１には、デジタルテレビ放送受信用アンテナが接続されている。ユーザは記録装置１００の電源を入れる。これにより、記録装置１００の各部に電源電力の供給が開始される。しかし、ＣＰＵ１１６は、ハードディスクドライブ１１５の磁気ディスクを回転させるためのモータに電源電力を供給しないように制御する。これにより、この時点ではモータは駆動されず、磁気ディスクは停止したままである。【００８７】
続いて、ユーザは、所望の番組を選択すべく記録装置１００の操作部１１３を操作する。これに応じて、チューナ１１１は、テレビ放送局により提供される複数チャンネルの中から、ユーザ所望の１チャンネルを選択する。デマルチプレクサ１１２は、選択された１チャンネル中に多重された複数の番組の中から、ユーザ所望の１番組（正確に言えば１個のテレビ放送事業者が提供する一連の番組）を選択する。これにより、チューナ１１１およびデマルチプレクサ１１２により選択された番組に関するコンテンツデータが、データバス１１９に供給される。続いて、ＣＰＵ１１６は、このコンテンツデータを常時記録用ＲＡＭ１１４に記録する。常時記録用ＲＡＭ１１４は、例えば再生時間１０分程度に相当する量のコンテンツデータを記録することが可能な容量を有するＲＡＭである。ＣＰＵ１１６は、再生時間１０分程度に相当する量のコンテンツデータを常時記録用ＲＡＭ１１４に更新しながら常時記録し続ける。【００８８】
ユーザが記録装置１００の操作部１１３に設けられた録画開始ボタンを押すと、操作部１１３はこれを本記録開始指令として受け取る。これに応じてＣＰＵ１１６は、ハードディスクドライブ１１５内の磁気ディスクを回転させるためのモータに電源電力を供給する。これにより、モータが駆動を開始し、磁気ディスクが回転し始める。続いて、ＣＰＵ１１６は、チューナ１１１およびデマルチプレクサ１１２により選択された番組に関するコンテンツデータをハードディスクドライブ１１５の磁気ディスクに記録する。なお、ハードディスクドライブ１１５（磁気ディスク）は、例えば再生時間数十時間に相当する量のコンテンツデータを記録することが可能な容量を有している。【００８９】
コンテンツデータのハードディスクドライブ１１５への記録が開始されると、ＣＰＵ１１６は、コンテンツデータの常時記録用ＲＡＭ１１４への記録を一時停止する。続いて、ＣＰＵ１１６は、常時記録用ＲＡＭ１１４に、コンテンツデータのハードディスクドライブ１１５への記録が開始された時点において記録保持されているコンテンツデータ（常時記録コンテンツデータ）を、ハードディスクドライブ１１５へ転送する。転送が完了した後、ＣＰＵ１１６は、チューナ１１１およびデマルチプレクサ１１２により選択された番組に関するコンテンツデータの常時記録用ＲＡＭ１１４への記録を再開する。【００９０】
続いて、ユーザが操作部１１３に設けられた録画停止ボタンを押すと、操作部１１３はこれを本記録停止指令として受け取る。これに応じて、ＣＰＵ１１６は、コンテンツデータのハードディスクドライブ１１５への記録を停止する。この時点で、ハードディスクドライブ１１５の磁気ディスク上には、ただいま記録が終了したコンテンツデータ（本記録コンテンツデータ）と、常時保持用ＲＡＭ１１４から転送された常時記録コンテンツデータとが存在している。続いて、ＣＰＵ１１６は、本記録コンテンツデータと常時記録コンテンツデータとを結合し、内容的に連続した１個のコンテンツデータを作り出し、これをハードディスクドライブ１１５に保存する。【００９１】
なお、チューナ１１１およびデマルチプレクサは、コンテンツデータ受取手段および選択手段の具体例である。操作部１１３は指令受取手段の具体例である。常時記録用ＲＡＭ１１４は、第１記録手段の具体例である。ハードディスクドライブ１１５は第２記録手段の具体例である。ＣＰＵ１１６は、常時記録制御手段、稼働制御手段および本記録制御手段の具体例である。また、ＲＯＭ１１７には、ＣＰＵ１１６を常時記録制御手段、稼働制御手段および本記録制御手段として機能させるための制御プログラムが記憶されている。また、ＲＡＭ１１８は、ＣＰＵ１１６が動作するときに作業領域として用いられる。【００９２】
なお、本発明は、請求の範囲および明細書全体から読み取るこのできる発明の要旨または思想に反しない範囲で適宜変更可能であり、そのような変更を伴う記録装置、記録システム、記録方法およびコンピュータプログラムもまた本発明の技術思想に含まれる。
【産業上の利用可能性】
【００９３】
本発明に係るコンテンツデータの記録装置およびコンテンツデータの記録方法は、例えばテレビ放送局などから送信されるコンテンツデータを記録媒体に記録する記録装置および記録方法に利用可能である。また、例えば民生用或いは業務用の各種コンピュータ機器に搭載される又は各種コンピュータ機器に接続可能な記録媒体等にも利用可能である。
【図１】
2006095867.tif 000002
【図２】
2006095867.tif 000003
【図３】
2006095867.tif 000004
【図４】
2006095867.tif 000005
【図５】
2006095867.tif 000006
【図６】
2006095867.tif 000007
【図７】
2006095867.tif 000008
【図８】
2006095867.tif 000009
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
コンテンツデータを受け取るコンテンツデータ受取手段と、
本記録開始指令を受け取る指令受取手段と、
第１記録手段と、
前記第１記録手段と別個独立の第２記録手段と、
前記本記録開始指令が前記指令受取手段により受け取られる前から前記コンテンツデータ受取手段により受け取られた所定量のコンテンツデータを前記第１記録手段に更新しながら記録し続ける常時記録制御手段と、
前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、
前記稼働制御手段により前記第２記録手段が稼働を開始した後、前記コンテンツデータ受取手段により受け取られたコンテンツデータを前記第２記録手段に記録する本記録制御手段と、
コンテンツデータの画像又は音声を解析する解析手段と、
前記解析される画像又は音声に基づいて、前記常時記録制御手段により記録されたコンテンツデータと前記本記録制御手段により記録されたコンテンツデータとの結合点を検出する結合点検出手段と、
前記常時記録制御手段により記録されたコンテンツデータと前記本記録制御手段により記録されたコンテンツデータとを、前記結合点検出手段により検出された結合点において相互に結合する結合手段とを備えていることを特徴とする記録装置。
【請求項２】
前記第１記録手段は可動部を有しないことを特徴とする請求の範囲第１項に記載の記録装置。
【請求項３】
前記第１記録手段は固体メモリであることを特徴とする請求の範囲第１項に記載の記録装置。
【請求項４】
前記第１記録手段は半導体メモリであることを特徴とする請求の範囲第１項に記載の記録装置。
【請求項５】
前記常時記録制御手段はリングバッファ方式により前記所定量のコンテンツデータを前記第１記録手段に更新しながら記録し続けることを特徴とする請求の範囲第１項に記載の記録装置。
【請求項６】
前記常時記録制御手段は、再生時間３０分以下に相当する量のコンテンツデータを前記第１記録手段に更新しながら記録し続けることを特徴とする請求の範囲第１項に記載の記録装置。
【請求項７】
前記常時記録制御手段は、再生時間１５分以下に相当する量のコンテンツデータを前記第１記録手段に更新しながら記録し続けることを特徴とする請求の範囲第１項に記載の記録装置。
【請求項８】
前記第２記録手段は可動部を有することを特徴とする請求の範囲第１項に記載の記録装置。
【請求項９】
前記稼働制御手段は、前記本記録開始指令が前記指令受取手段により受け取られる前は前記第２記録手段の可動部を停止させており、前記本記録開始指令が前記指令受取手段により受け取られた後に前記第２記録手段の可動部の稼働を開始させることを特徴とする請求の範囲第８項に記載の記録装置。
【請求項１０】
前記第２記録手段はハードディスクドライブであることを特徴とする請求の範囲第８項に記載の記録装置。
【請求項１１】
前記常時記録制御手段は、
前記第２記録手段の記録開始を確認する確認手段と、
前記第１記録手段に、前記第２記録手段の記録開始が前記確認手段により確認された時点において記録保持されているコンテンツデータを、前記第２記録手段へ転送する転送手段とを備えていることを特徴とする請求の範囲第１項に記載の記録装置。
【請求項１２】
前記常時記録制御手段は、前記所定量のコンテンツデータを前記第１記録手段に記録した時刻を示す第１時刻情報を生成し、当該第１時刻情報を前記第１記録手段に記録する第１時刻情報生成手段を備え、
前記本記録制御手段は、コンテンツデータの前記第２記録手段への記録が開始された時刻を示す第２時刻情報を生成し、当該第２時刻情報を前記第２記録手段に記録する第２時刻情報生成手段を備え、
前記結合手段は、前記第１時刻情報および前記第２時刻情報を参照し、前記第１時刻情報と前記第２時刻情報とが合致する合致時刻を検出する合致時刻検出手段を備え、
前記結合手段は、前記常時記録制御手段により記録されたコンテンツデータにおいて前記合致時刻に対応する位置と、前記本記録制御手段により記録されたコンテンツデータにおいて前記合致時刻に対応する位置とを結合点として、これらのコンテンツデータを相互に結合することを特徴とする請求の範囲第１項に記載の記録装置。
【請求項１３】
（削除）
【請求項１４】
（削除）
【請求項１５】
コンテンツデータ受取手段は、放送局から複数のチャンネルでまたは１個のチャンネルに多重して同時に送信される複数の番組に関するコンテンツデータの中から、１個の番組に関するコンテンツデータを選択する選択手段を備えていることを特徴とする請求の範囲第１項に記載の記録装置。
【請求項１６】
コンテンツデータを受け取るコンテンツデータ受取手段と、
本記録開始指令を受け取る指令受取手段と、
第１記録手段と、
前記第１記録手段と別個独立の第２記録手段と、
前記本記録開始指令が前記指令受取手段により受け取られる前から前記コンテンツデータ受取手段により受け取られた所定量のコンテンツデータを前記第１記録手段に更新しながら記録し続ける常時記録制御手段と、
前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、
前記稼働制御手段により前記第２記録手段が稼働を開始した後、前記コンテンツデータ受取手段により受け取られたコンテンツデータを前記第２記録手段に記録する本記録制御手段と、
前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータとを備え、
前記コンテンツデータ受取手段、前記指令受取手段、前記第１記録手段および前記常時記録制御手段を備えた第１セクションと、前記第２記録手段、前記稼働制御手段、前記本記録制御手段および前記結合手段を備えた第２セクションとを備え、前記第１セクションと前記第２セクションとはネットワークにより相互に接続されていることを特徴とする記録装置。
【請求項１７】
ネットワークを介して相互に接続された第１記録装置および第２記録装置を備えた記録システムであって、
前記第１記録装置は、
外部送信源からコンテンツデータを受け取る第１コンテンツデータ受取手段と、
本記録開始指令を受け取る第１指令受取手段と、
第１指令受取手段により受け取られた前記本記録開始指令を前記第２記録装置へ送信する指令送信手段と、
第１記録手段と、
前記本記録開始指令が前記第１指令受取手段により受け取られる前から前記第１コンテンツデータ受取手段により受け取られた所定量のコンテンツデータを前記第１記録手段に更新しながら記録し続ける常時記録制御手段と、
本記録開始通知を受け取る通知受取手段と、
前記第１記録手段に、前記本記録開始通知が前記通知受取手段により受け取られた時点において記録保持されているコンテンツデータを、前記第２記録装置へ送信するコンテンツデータ送信手段とを備え、
前記第２記録装置は、
外部送信源からコンテンツデータを受け取る第２コンテンツデータ受取手段と、
本記録開始指令を受け取る第２指令受取手段と、
第２記録手段と、
前記本記録開始指令が前記第２指令受取手段により受け取られる前は前記第２記録手段の稼働を停止させ、前記本記録開始指令が前記第２指令受取手段により受け取られた後に前記第２記録手段の稼働を開始させる稼働制御手段と、
前記稼働制御手段により前記第２記録手段の稼働が開始した後、前記第２コンテンツデータ受取手段により受け取られたコンテンツデータを前記第２記録手段に記録する本記録制御手段と、
前記第２コンテンツデータ受取手段により受け取られたコンテンツデータの前記第２記録手段への記録が開始された時、前記本記録開始通知を前記第１記録装置へ送信する通知送信手段と、
前記コンテンツデータ送信手段から送信されたコンテンツデータを受け取る第３コンテンツデータ受取手段と、
前記第３コンテンツデータ受取手段により受け取られたコンテンツデータと、前記第２記録手段に記録されたコンテンツデータとを相互に結合する結合手段とを備えていることを特徴とする記録システム。
【請求項１８】
コンテンツデータを受け取るコンテンツデータ受取手段、第１記録手段および第２記録手段を有する記録装置におけるコンテンツデータの記録方法であって、
本記録開始指令が受け取られる前から前記コンテンツデータ受取手段により受け取られた所定量のコンテンツデータを前記第１記録手段に更新しながら記録し続ける常時記録工程と、
前記本記録開始指令を受け取る指令受取工程と、
前記指令受取工程において前記本記録開始指令が受け取られた後に前記第２記録手段の稼働を開始させる稼働工程と、
前記稼働工程において前記第２記録手段の稼働が開始した後に前記コンテンツデータ受取手段により受け取られたコンテンツデータを第２記録手段に記録する本記録工程と、
コンテンツデータの画像又は音声を解析する解析工程と、
前記解析される画像又は音声に基づいて、前記常時記録工程において記録されたコンテンツデータと前記本記録工程において記録されたコンテンツデータとの結合点を検出する結合点検出工程と、
前記常時記録工程において記録されたコンテンツデータと前記本記録工程において記録されたコンテンツデータとを、前記結合点検出工程において検出された結合点において相互に結合する結合工程とを備えていることを特徴とする記録方法。
【請求項１９】
請求の範囲第１項の記録装置としてコンピュータを機能させることを特徴とするコンピュータプログラム。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
コンテンツデータを受け取るコンテンツデータ受取手段と、
本記録開始指令を受け取る指令受取手段と、
第１記録手段と、
前記第１記録手段と別個独立の第２記録手段と、
前記本記録開始指令が前記指令受取手段により受け取られる前から前記コンテンツデータ受取手段により受け取られた所定量のコンテンツデータを前記第１記録手段に更新しながら記録し続ける常時記録制御手段と、
前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、
前記稼働制御手段により前記第２記録手段が稼働を開始した後、前記コンテンツデータ受取手段により受け取られたコンテンツデータを前記第２記録手段に記録する本記録制御手段と、
コンテンツデータの画像又は音声を解析する解析手段と、
前記解析される画像又は音声に基づいて、前記常時記録制御手段により記録されたコンテンツデータと前記本記録制御手段により記録されたコンテンツデータとの結合点を検出する結合点検出手段と、
前記常時記録制御手段により記録されたコンテンツデータと前記本記録制御手段により記録されたコンテンツデータとを、前記結合点検出手段により検出された結合点において相互に結合する結合手段とを備えていることを特徴とする記録装置。
【請求項２】
前記第１記録手段は可動部を有しないことを特徴とする請求の範囲第１項に記載の記録装置。
【請求項３】
前記第１記録手段は固体メモリであることを特徴とする請求の範囲第１項に記載の記録装置。
【請求項４】
前記第１記録手段は半導体メモリであることを特徴とする請求の範囲第１項に記載の記録装置。
【請求項５】
前記常時記録制御手段はリングバッファ方式により前記所定量のコンテンツデータを前記第１記録手段に更新しながら記録し続けることを特徴とする請求の範囲第１項に記載の記録装置。
【請求項６】
前記常時記録制御手段は、再生時間３０分以下に相当する量のコンテンツデータを前記第１記録手段に更新しながら記録し続けることを特徴とする請求の範囲第１項に記載の記録装置。
【請求項７】
前記常時記録制御手段は、再生時間１５分以下に相当する量のコンテンツデータを前記第１記録手段に更新しながら記録し続けることを特徴とする請求の範囲第１項に記載の記録装置。
【請求項８】
前記第２記録手段は可動部を有することを特徴とする請求の範囲第１項に記載の記録装置。
【請求項９】
前記稼働制御手段は、前記本記録開始指令が前記指令受取手段により受け取られる前は前記第２記録手段の可動部を停止させており、前記本記録開始指令が前記指令受取手段により受け取られた後に前記第２記録手段の可動部の稼働を開始させることを特徴とする請求の範囲第８項に記載の記録装置。
【請求項１０】
前記第２記録手段はハードディスクドライブであることを特徴とする請求の範囲第８項に記載の記録装置。
【請求項１１】
前記常時記録制御手段は、
前記第２記録手段の記録開始を確認する確認手段と、
前記第１記録手段に、前記第２記録手段の記録開始が前記確認手段により確認された時点において記録保持されているコンテンツデータを、前記第２記録手段へ転送する転送手段とを備えていることを特徴とする請求の範囲第１項に記載の記録装置。
【請求項１２】
前記常時記録制御手段は、前記所定量のコンテンツデータを前記第１記録手段に記録した時刻を示す第１時刻情報を生成し、当該第１時刻情報を前記第１記録手段に記録する第１時刻情報生成手段を備え、
前記本記録制御手段は、コンテンツデータの前記第２記録手段への記録が開始された時刻を示す第２時刻情報を生成し、当該第２時刻情報を前記第２記録手段に記録する第２時刻情報生成手段を備え、
前記結合手段は、前記第１時刻情報および前記第２時刻情報を参照し、前記第１時刻情報と前記第２時刻情報とが合致する合致時刻を検出する合致時刻検出手段を備え、
前記結合手段は、前記常時記録制御手段により記録されたコンテンツデータにおいて前記合致時刻に対応する位置と、前記本記録制御手段により記録されたコンテンツデータにおいて前記合致時刻に対応する位置とを結合点として、これらのコンテンツデータを相互に結合することを特徴とする請求の範囲第１項に記載の記録装置。
【請求項１３】
コンテンツデータ受取手段は、放送局から複数のチャンネルでまたは１個のチャンネルに多重して同時に送信される複数の番組に関するコンテンツデータの中から、１個の番組に関するコンテンツデータを選択する選択手段を備えていることを特徴とする請求の範囲第１項に記載の記録装置。
【請求項１４】
コンテンツデータを受け取るコンテンツデータ受取手段と、
本記録開始指令を受け取る指令受取手段と、
第１記録手段と、
前記第１記録手段と別個独立の第２記録手段と、
前記本記録開始指令が前記指令受取手段により受け取られる前から前記コンテンツデータ受取手段により受け取られた所定量のコンテンツデータを前記第１記録手段に更新しながら記録し続ける常時記録制御手段と、
前記本記録開始指令が前記指令受取手段により受け取られる前は前記第２記録手段の稼働を停止させており、前記本記録開始指令が前記指令受取手段により受け取られた後に前記第２記録手段の稼働を開始させる稼働制御手段と、
前記稼働制御手段により前記第２記録手段が稼働を開始した後、前記コンテンツデータ受取手段により受け取られたコンテンツデータを前記第２記録手段に記録する本記録制御手段と、
前記第１記録手段に、前記コンテンツデータ受取手段により受け取られたコンテンツデータの前記第２記録手段への記録が開始された時点またはその直前において記録保持されているコンテンツデータと、前記第２記録手段に記録されたコンテンツデータと、前記第２記録手段に記録されたコンテンツデータとを相互に結合する結合手段とを備え、
前記コンテンツデータ受取手段、前記指令受取手段、前記第１記録手段および前記常時記録制御手段を備えた第１セクションと、前記第２記録手段、前記稼働制御手段、前記本記録制御手段および前記結合手段を備えた第２セクションとを備え、前記第１セクションと前記第２セクションとはネットワークにより相互に接続されていることを特徴とする記録装置。
【請求項１５】
ネットワークを介して相互に接続された第１記録装置および第２記録装置を備えた記録システムであって、
前記第１記録装置は、
外部送信源からコンテンツデータを受け取る第１コンテンツデータ受取手段と、
本記録開始指令を受け取る第１指令受取手段と、
第１指令受取手段により受け取られた前記本記録開始指令を前記第２記録装置へ送信する指令送信手段と、
第１記録手段と、
前記本記録開始指令が前記第１指令受取手段により受け取られる前から前記第１コンテンツデータ受取手段により受け取られた所定量のコンテンツデータを前記第１記録手段に更新しながら記録し続ける常時記録制御手段と、
本記録開始通知を受け取る通知受取手段と、
前記第１記録手段に、前記本記録開始通知が前記通知受取手段により受け取られた時点において記録保持されているコンテンツデータを、前記第２記録装置へ送信するコンテンツデータ送信手段とを備え、
前記第２記録装置は、
外部送信源からコンテンツデータを受け取る第２コンテンツデータ受取手段と、
本記録開始指令を受け取る第２指令受取手段と、
第２記録手段と、
前記本記録開始指令が前記第２指令受取手段により受け取られる前は前記第２記録手段の稼働を停止させ、前記本記録開始指令が前記第２指令受取手段により受け取られた後に前記第２記録手段の稼働を開始させる稼働制御手段と、
前記稼働制御手段により前記第２記録手段の稼働が開始した後、前記第２コンテンツデータ受取手段により受け取られたコンテンツデータを前記第２記録手段に記録する本記録制御手段と、
前記第２コンテンツデータ受取手段により受け取られたコンテンツデータの前記第２記録手段への記録が開始された時、前記本記録開始通知を前記第１記録装置へ送信する通知送信手段と、
前記コンテンツデータ送信手段から送信されたコンテンツデータを受け取る第３コンテンツデータ受取手段と、
前記第３コンテンツデータ受取手段により受け取られたコンテンツデータと、前記第２記録手段に記録されたコンテンツデータとを相互に結合する結合手段とを備えていることを特徴とする記録システム。
【請求項１６】
コンテンツデータを受け取るコンテンツデータ受取手段、第１記録手段および第２記録手段を有する記録装置におけるコンテンツデータの記録方法であって、
本記録開始指令が受け取られる前から前記コンテンツデータ受取手段により受け取られた所定量のコンテンツデータを前記第１記録手段に更新しながら記録し続ける常時記録工程と、
前記本記録開始指令を受け取る指令受取工程と、
前記指令受取工程において前記本記録開始指令が受け取られた後に前記第２記録手段の稼働を開始させる稼働工程と、
前記稼働工程において前記第２記録手段の稼働が開始した後に前記コンテンツデータ受取手段により受け取られたコンテンツデータを第２記録手段に記録する本記録工程と、
コンテンツデータの画像又は音声を解析する解析工程と、
前記解析される画像又は音声に基づいて、前記常時記録工程において記録されたコンテンツデータと前記本記録工程において記録されたコンテンツデータとの結合点を検出する結合点検出工程と、
前記常時記録工程において記録されたコンテンツデータと前記本記録工程において記録されたコンテンツデータとを、前記結合点検出工程において検出された結合点において相互に結合する結合工程とを備えていることを特徴とする記録方法。
【請求項１７】
請求の範囲第１項の記録装置としてコンピュータを機能させることを特徴とするコンピュータプログラム。
【国際調査報告】
2006095867.tif 000010
2006095867.tif 000011
2006095867.tif 000012
2006095867.tif 000013